(57)【要約】【課題】ヒータを搭載せずに浴室内の温度調整を行うことができる浴室乾燥暖房機を得ること。【解決手段】浴室乾燥暖房機は、浴室５１、脱衣室５２および居間５３に接続するダクト配管６０と、浴室５１に空気を送風する給気ファン２と、ダクト配管６０内の空気を屋外に排気する排気ファン３と、空気を吸い込む部屋を脱衣室５２または居間５３に切り替える給気ダンパ４と、空気の送風先を浴室５１または屋外に切り替える排気ダンパ５と、浴室５１の温度、脱衣室５２の温度、居間５３の温度および浴室５１に設定されている運転モードに基づいて、浴室５１の温度が設定温度となるよう給気ファン２、排気ファン３、給気ダンパ４および排気ダンパ５を制御し、これにより給気風路および排気風路を切り替える制御部６と、を備える。【選択図】図１
2010276274.tif 000002
【特許請求の範囲】
【請求項１】
浴室、第１の部屋および第２の部屋のそれぞれに接続するダクト配管と、
前記ダクト配管内に配置されて前記浴室内に前記ダクト配管内の空気を送風する給気ファンと、
前記ダクト配管内に配置されて前記ダクト配管内の空気を屋外に排気する排気ファンと、
前記ダクト配管内に配置されて空気を吸い込む部屋を前記第１の部屋または前記第２の部屋に切り替える吸気開閉部と、
前記ダクト配管内に配置されて前記第１の部屋または前記第２の部屋から前記ダクト配管内に吸い込んだ空気の送風先を前記浴室または前記屋外に切り替える排気開閉部と、
前記給気ファン、前記排気ファン、前記吸気開閉部および前記排気開閉部を制御する制御部と、
を備え、
前記制御部は、前記浴室の温度、前記第１の部屋の温度、前記第２の部屋の温度および前記浴室に設定されている運転モードに基づいて、前記浴室の温度が設定温度となるよう前記給気ファン、前記排気ファン、前記吸気開閉部および前記排気開閉部を制御し、これにより給気風路および排気風路を切り替えることを特徴とする浴室乾燥暖房機。
【請求項２】
前記制御部は、前記第１の部屋に配置されたリモコンが備える第１の温度検知部が検知した前記第１の部屋の温度および前記第２の部屋に配置されたリモコンが備える第２の温度検知部が検知した前記第２の部屋の温度を用いて前記給気ファン、前記排気ファン、前記吸気開閉部および前記排気開閉部を制御することを特徴とする請求項１に記載の浴室乾燥暖房機。
【請求項３】
前記ダクト配管内に配置されて前記第１の部屋側から送られてくる空気の温度を検知する第３の温度検知部と、
前記ダクト配管内に配置されて前記第２の部屋側から送られてくる空気の温度を検知する第４の温度検知部と、
をさらに備え、
前記制御部は、前記第３の検知部が検知した前記第１の部屋の温度および前記第４の検知部が検知した前記第２の部屋の温度を用いて前記給気ファン、前記排気ファン、前記吸気開閉部および前記排気開閉部を制御することを特徴とする請求項１に記載の浴室乾燥暖房機。
【請求項４】
前記制御部は、前記浴室に所定の湿度が設定された場合に、前記浴室の湿度、前記第１の部屋の湿度、前記第２の部屋の湿度および前記浴室に設定されている運転モードに基づいて、前記浴室の湿度が設定湿度となるよう前記給気ファン、前記排気ファン、前記吸気開閉部および前記排気開閉部を制御し、これにより給気風路および排気風路を切り替えることを特徴とする請求項１〜３のいずれか１つに記載の浴室乾燥暖房機。
【請求項５】
前記運転モードは、前記浴室の換気、前記浴室の乾燥、前記浴室の暖房または前記浴室への涼風供給であることを特徴とする請求項１〜４のいずれか１つに記載の浴室乾燥暖房機。
【発明の詳細な説明】
【技術分野】
【０００１】
本発明は、浴室の乾燥や暖房を行う浴室乾燥暖房機に関する。
【背景技術】
【０００２】
従来、浴室の乾燥や暖房を行う装置として、ＰＴＣ（Positive  Temperature  Coefficient）ヒータや遠赤外線ヒータ等の熱源を利用して温風を得る浴室乾燥暖房機が知られている。この浴室乾燥暖房機は、暖房時にはヒータに送風して浴室内に温風を吹き出し、換気時には浴室の戸（室内側）に備え付けられている通気孔から空気を吸い込み、換気ファンで屋外へ排気している。このような浴室乾燥暖房機では、浴室の戸の通気孔から換気扇までに風路ができてしまい、その結果、浴室天井や浴室の隅は乾燥しにくくカビの発生原因となっている。また、換気量を増加させると通気孔の開口面積が小さく圧力損失が大きいので浴室の戸が開いてしまうという問題や、乾燥時間に長時間を要するという問題があった。
【０００３】
そこで、特許文献１に記載の浴室乾燥機には、浴室内の空気を吸い込んで屋外へ排出する排気口が浴室内に配置されるとともに、浴室と脱衣室との間に浴室乾燥を行うための循環風路が配置されている。そして、循環風路内に配置されているダンパの揺動角度を変えることによって、浴室側の吸込口と脱衣室側の吸込口との両吸い込み口の切り替え、あるいは両吸い込み口からの風量比を調整可能にしている。
【先行技術文献】
【特許文献】
【０００４】
【特許文献１】特開２００５−３４５０６８号公報
【発明の概要】
【発明が解決しようとする課題】
【０００５】
しかしながら、上記従来の技術では、電気式ヒータを熱源としているので消費電力が大きくなり電気代がかかるという問題があった。また、ヒータは定期的なメンテナンスが必要であり、ヒータが故障した場合は暖房機能や乾燥機能が使えなくなるという問題があった。また、湿度の高い脱衣室から空気を吸い込むので、ヒータを使用しないと浴室乾燥に時間がかかるという問題があった。
【０００６】
本発明は、上記に鑑みてなされたものであって、ヒータを搭載せずに浴室内の温度調整を行うことができる浴室乾燥暖房機を得ることを目的とする。
【課題を解決するための手段】
【０００７】
上述した課題を解決し、目的を達成するために、本発明は、浴室、第１の部屋および第２の部屋のそれぞれに接続するダクト配管と、前記ダクト配管内に配置されて前記浴室内に前記ダクト配管内の空気を送風する給気ファンと、前記ダクト配管内に配置されて前記ダクト配管内の空気を屋外に排気する排気ファンと、前記ダクト配管内に配置されて空気を吸い込む部屋を前記第１の部屋または前記第２の部屋に切り替える吸気開閉部と、前記ダクト配管内に配置されて前記第１の部屋または前記第２の部屋から前記ダクト配管内に吸い込んだ空気の送風先を前記浴室または前記屋外に切り替える排気開閉部と、前記給気ファン、前記排気ファン、前記吸気開閉部および前記排気開閉部を制御する制御部と、を備え、前記制御部は、前記浴室の温度、前記第１の部屋の温度、前記第２の部屋の温度および前記浴室に設定されている運転モードに基づいて、前記浴室の温度が設定温度となるよう前記給気ファン、前記排気ファン、前記吸気開閉部および前記排気開閉部を制御し、これにより給気風路および排気風路を切り替えることを特徴とする。
【発明の効果】
【０００８】
本発明によれば、ダクト配管を第１および第２の部屋に接続しておき、浴室の温度、第１および第２の部屋の温度に基づいて、浴室の温度が設定温度となるよう給気風路および排気風路を切り替えるので、ヒータを搭載せずに浴室内の温度調整を行うことができるという効果を奏する。
【図面の簡単な説明】
【０００９】
【図１】図１は、実施の形態１に係る浴室乾燥暖房機を備えた浴室乾燥暖房システムの構成を示す図である。
【図２】図２は、実施の形態１に係る浴室乾燥暖房機の機能構成の概略を示すブロック図である。
【図３】図３は、実施の形態１に係る浴室乾燥暖房機の風路内部を示す図である。
【図４】図４は、実施の形態１に係る浴室乾燥暖房機の換気運転の動作手順を示すフローチャートである。
【図５】図５は、実施の形態１に係る浴室乾燥暖房機の乾燥運転の動作手順を示すフローチャートである。
【図６】図６は、実施の形態１に係る浴室乾燥暖房機の暖房運転の動作手順を示すフローチャートである。
【図７】図７は、実施の形態１に係る浴室乾燥暖房機の涼風運転の動作手順を示すフローチャートである。
【図８】図８は、実施の形態２に係る浴室乾燥暖房機を備えた浴室乾燥暖房システムの構成を示す図である。
【図９】図９は、実施の形態２に係る浴室乾燥暖房機の機能構成の概略を示すブロック図である。
【図１０】図１０は、実施の形態３に係る浴室乾燥暖房機を備えた浴室乾燥暖房システムの構成を示す図である。
【図１１】図１１は、実施の形態３に係る浴室乾燥暖房機の乾燥運転の動作手順を示すフローチャートである。
【発明を実施するための形態】
【００１０】
以下に、本発明に係る浴室乾燥暖房機の実施の形態を図面に基づいて詳細に説明する。なお、この実施の形態によりこの発明が限定されるものではない。
【００１１】
実施の形態１．
図１は、本発明の実施の形態１に係る浴室乾燥暖房機を備えた浴室乾燥暖房システムの構成を示す図である。図１では、浴室乾燥暖房機の設置状態を浴室乾燥暖房システム１０１の断面図として示している。本実施の形態の浴室乾燥暖房システム１０１は、浴室と浴室以外の部屋とを連通させて風路を形成している。浴室乾燥暖房システム１０１は、浴室乾燥暖房機を備えており、この浴室乾燥暖房機は、浴室乾燥暖房機本体１Ａと、脱衣室リモコン１０Ａと、居間リモコン１３Ａと、浴室用温度センサ９と、を含んで構成されている。また、浴室乾燥暖房システム１０１は、浴室乾燥暖房機と、浴室５１と、脱衣室５２と、居間５３と、を含んで構成されている。浴室５１、脱衣室５２、居間５３は、それぞれ概略直方体状の箱型を成しており壁面で囲まれている。
【００１２】
浴室乾燥暖房機本体１Ａは、浴室５１の天井側に設置されている。浴室乾燥暖房機本体１Ａは、浴室５１内に風を送風するための給気ファン２と、浴室５１内の空気を排気口１７を介して屋外に排気するための排気ファン３と、空気を吸い込む部屋を脱衣室５２と居間５３との何れかまたは両方に切り替えるための給気ダンパ（吸気開閉部）４と、吸い込んだ空気を浴室５１内に送風するか屋外に排気するかを切り替えるための排気ダンパ（排気開閉部）５と、浴室５１内の温度を検知する浴室用温度センサ９と、ダクト配管６０と、を有している。また、浴室乾燥暖房機本体１Ａの下部（浴室５１の天井側）には、吹出口８と吸込口７とが設けられている。
【００１３】
ダクト配管６０は、吹出口８および吸込口７を介して浴室５１に接続されている。また、ダクト配管６０は、脱衣室側配管６２および脱衣室吸気口１２を介して脱衣室５２に接続され、居間側配管６１および居間吸気口１５を介して居間５３に接続されている。換言すると、浴室乾燥暖房機本体１Ａの吸込口７は、脱衣室５２や居間５３とダクト配管６０、脱衣室側配管６２、居間側配管６１にて接続され、これにより各部屋から空気を吸い込むための風路が形成されている。
【００１４】
浴室乾燥暖房機本体１Ａの給気ファン２は、ダクト配管６０内の空気を吹出口８に送風する。排気ファン３は、浴室５１内の空気を吸込口７から吸い込み、ダクト配管６０および屋外配管６３を介して屋外に排気する。浴室用温度センサ９は、例えば浴室５１の天井側に取り付けられている。
【００１５】
また、脱衣室５２には脱衣室リモコン１０Ａと脱衣室吸気口１２が設置され、居間５３には居間リモコン１３Ａと居間吸気口１５が設置されている。そして、脱衣室リモコン１０Ａには、脱衣室５２の温度を検知する脱衣室用温度センサ（温度検知部）１１が内蔵されており、居間リモコン１３Ａには、居間５３の温度を検知する居間用温度センサ（温度検知部）１４が内蔵されている。脱衣室５２は、浴室５１に隣接して配置されており、床面近傍の側壁面上に設けられた通気孔１６を介して浴室５１と繋がっている。
【００１６】
本実施の形態の浴室乾燥暖房機本体１Ａは、制御部６を備えており、制御部６は、浴室用温度センサ９が検知した浴室５１内の温度、脱衣室リモコン１０Ａから送られてくる情報、居間リモコン１３Ａから送られてくる情報に基づいて、給気ファン２、排気ファン３、給気ダンパ４、排気ダンパ５を制御する。
【００１７】
図２は、実施の形態１に係る浴室乾燥暖房機の機能構成の概略を示すブロック図である。制御部６は、脱衣室リモコン１０Ａ、居間リモコン１３Ａ、浴室用温度センサ９とそれぞれ有線で接続されている。脱衣室リモコン１０Ａや居間リモコン１３Ａに設定された運転モードや温度情報（脱衣室リモコン１０Ａや居間リモコン１３Ａが検知した温度）は制御部６に入力される。また、浴室用温度センサ９で検知された温度についても制御部６に入力される。
【００１８】
なお、図２では脱衣室リモコン１０Ａ、居間リモコン１３Ａと浴室乾燥暖房機本体１Ａとが有線接続されている場合を示しているが、脱衣室リモコン１０Ａ、居間リモコン１３Ａと浴室乾燥暖房機本体１Ａとを無線通信で接続してもよい。無線接続の場合、本体−リモコン間の配線を省略できるので有線接続より構成を簡単にできる。
【００１９】
給気ファン２は給気用モータ１８と接続され、排気ファン３は排気用モータ１９と接続され、給気ダンパ４は給気ダンパ用モータ２０と接続され、排気ダンパ５は排気ダンパ用モータ２１と接続されている。給気用モータ１８、排気用モータ１９、給気ダンパ用モータ２０、排気ダンパ用モータ２１は、それぞれ制御部６からの指令に基づいて動作する。
【００２０】
給気用モータ１８や排気用モータ１９は、ファンモータである。ファンモータとしては、ＡＣモータやＤＣモータが使用され、ファンモータとしてＤＣモータを用いれば風量をきめ細かく制御できる。また、給気ダンパ用モータ２０や排気ダンパ用モータ２１は、ダンパ用モータである。ダンパ用モータには、スッテピングモータやギヤドモータやソレノイドが用いられる。ダンパ用モータには、コストや形状、必要トルクを考慮して都合の良いアクチュエータを選定すれば良い。
【００２１】
浴室乾燥暖房機本体１Ａに商用電源が投入されると、浴室乾燥暖房機本体１Ａは、制御部６、脱衣室リモコン１０Ａ、居間リモコン１３Ａに通電されて運転待機状態となる。そして、脱衣室リモコン１０Ａ、居間リモコン１３Ａへのユーザ操作（運転モードなどの指示入力）によってユーザ所望の運転モードが開始される。
【００２２】
図３は、実施の形態１に係る浴室乾燥暖房機の風路内部を示す図である。図３では、ダクト配管６０を示している。居間５３から浴室５１に給気する場合は、給気ダンパ４を位置Ａに設定し、脱衣室５２から浴室５１に給気する場合は、給気ダンパ４を位置Ｂに設定する。具体的には、居間５３から浴室５１に給気する場合は、給気ダンパ４を矢印で示す位置Ａの方向に移動させ、これにより給気ダンパ４によって脱衣室５２側の配管を閉じるとともに居間５３側の配管を開ける。また、脱衣室５２から浴室５１に給気する場合は、給気ダンパ４を矢印で示す位置Ｂの方向に移動させ、これにより給気ダンパ４によって居間５３側の配管を閉じるとともに脱衣室５２側の配管を開ける。
【００２３】
また、居間５３及び脱衣室５２の両方から浴室５１に給気する場合は、給気ダンパ４を位置Ｃに設定する。具体的には、居間５３及び脱衣室５２の両方から浴室５１に給気する場合は、給気ダンパ４を矢印で示す位置Ｃの方向に移動させ、これにより給気ダンパ４によって脱衣室５２側の配管および居間５３側の配管を開ける。
【００２４】
居間５３あるいは脱衣室５２から吸い込んだ空気を浴室５１内に送風せずに排気する場合は、排気ダンパ５を開の位置に設定し、排気せず浴室５１内に送風する場合は、排気ダンパ５を閉の位置に設定する。具体的には、居間５３や脱衣室５２から吸い込んだ空気を屋外へ排気する場合は、排気ダンパ５を矢印で示す開の方向に移動させ、これにより排気ダンパ５によって居間５３や脱衣室５２と屋外との間の配管を開ける。また、居間５３や脱衣室５２から吸い込んだ空気を浴室５１へ給気する場合は、排気ダンパ５を矢印で示す閉の方向に移動させ、これにより排気ダンパ５によって居間５３や脱衣室５２と屋外との間の配管を閉じる。
【００２５】
つぎに、浴室乾燥暖房機による浴室５１の換気運転の動作手順、浴室５１の乾燥運転の動作手順、浴室５１の暖房運転の動作手順、浴室５１の涼風運転の動作手順について説明する。図４は、実施の形態１に係る浴室乾燥暖房機の換気運転の動作手順を示すフローチャートである。浴室乾燥暖房機本体１Ａは、脱衣室リモコン１０Ａや居間リモコン１３Ａからの操作指令を受けて浴室５１の換気運転を開始する。浴室乾燥暖房機本体１Ａの制御部６は、排気ダンパ５を開き（ステップＳ１）、給気ダンパ４を位置Ｃに移動させる（ステップＳ２）。次に、制御部６は、排気ファン３を運転（ＯＮ）し（ステップＳ３）、給気ファン２を停止（ＯＦＦ）する（ステップＳ４）。これにより、浴室乾燥暖房システム１０１は、居間５３、脱衣室５２の空気を用いて浴室５１の換気を行うことが可能となる。
【００２６】
なお、使用状況に応じて、どの部屋から空気を吸い込むか指定したい場合もあるので、脱衣室リモコン１０Ａや居間リモコン１３Ａのリモコン設定で空気を吸い込む部屋を指定してもよい。例えば、脱衣室リモコン１０Ａや居間リモコン１３Ａで脱衣室５２から空気を吸い込むよう設定された場合には、制御部６は、給気ダンパ４を位置Ｂに移動させる。また、脱衣室リモコン１０Ａや居間リモコン１３Ａで居間５３から空気を吸い込むよう設定された場合には、制御部６は、給気ダンパ４を位置Ａに移動させる。なお、図４ではステップＳ１〜Ｓ４の順番で排気ダンパ５、給気ダンパ４、排気ファン３、給気ファン２を動作させる場合について説明したが、排気ダンパ５、給気ダンパ４、排気ファン３、給気ファン２は何れの順番で動作させてもよい。
【００２７】
図５は、実施の形態１に係る浴室乾燥暖房機の乾燥運転の動作手順を示すフローチャートである。浴室乾燥暖房機本体１Ａは、脱衣室リモコン１０Ａや居間リモコン１３Ａからの操作指令を受けて浴室５１の乾燥運転を開始する。浴室乾燥暖房機本体１Ａの制御部６は、排気ダンパ５を閉じ（ステップＳ１１）、給気ダンパ４を位置Ａに移動させる（ステップＳ１２）。次に、制御部６は、排気ファン３をＯＮし（ステップＳ１３）、給気ファン２をＯＮする（ステップＳ１４）。これにより、浴室乾燥暖房システム１０１は、居間５３、脱衣室５２の空気を用いて浴室５１の乾燥を行うことが可能となる。
【００２８】
通常、人が生活する居間５３が最も快適な空気質環境に保たれており、居間５３は冬季であれば暖房され、夏季であれば冷房・除湿され、使用者の好みに応じて空調、調湿されている。したがって、本実施の形態では、浴室乾燥暖房機が乾燥運転を行う際に、給気ダンパ４を位置Ａに移動させておく。なお、マンションなど近年の集合住宅は高気密高断熱であるので、脱衣室５２も空調されていることから脱衣室リモコン１０Ａや居間リモコン１３Ａのリモコン設定で乾燥運転時に空気を吸い込む部屋を指定できるようにしておいてもよい。なお、図５ではステップＳ１１〜Ｓ１４の順番で排気ダンパ５、給気ダンパ４、排気ファン３、給気ファン２を動作させる場合について説明したが、排気ダンパ５、給気ダンパ４、排気ファン３、給気ファン２は何れの順番で動作させてもよい。
【００２９】
図６は、実施の形態１に係る浴室乾燥暖房機の暖房運転の動作手順を示すフローチャートである。浴室乾燥暖房機本体１Ａが脱衣室リモコン１０Ａや居間リモコン１３Ａからの操作指令を受けて浴室５１の暖房運転を開始すると、制御部６は、排気ダンパ５を閉じる（ステップＳ２１）。
【００３０】
次に、浴室乾燥暖房機本体１Ａは、各部屋の温度情報を取得する。具体的には、制御部６は、浴室用温度センサ９が検知した浴室５１の温度、脱衣室用温度センサ１１が検知して脱衣室リモコン１０Ａから送られてくる脱衣室５２の温度、居間用温度センサ１２が検知して居間リモコン１３Ａから送られてくる居間５３の温度を取得する。ここでは、浴室５１の温度（浴室温度）がＴＨ１、居間５３の温度（居間温度）がＴＨ２、脱衣室５２の温度（脱衣室温度）がＴＨ３であった場合について説明する（ステップＳ２２）。
【００３１】
制御部６は、居間温度のＴＨ２と脱衣室温度のＴＨ３とを比較し、ＴＨ２がＴＨ３よりも小さいか否かを判定する（ステップＳ２３）。居間温度が脱衣室温度より低い場合（ＴＨ２＜ＴＨ３）（ステップＳ２３、Ｙｅｓ）、制御部６は、給気ダンパ４を位置Ｂに移動させる（ステップＳ２４）。
【００３２】
一方、居間温度が脱衣室温度以上である場合（ＴＨ２≧ＴＨ３）（ステップＳ２３、Ｎｏ）、制御部６は、脱衣室温度のＴＨ３が居間温度のＴＨ２より低いか否かを判定する（ステップＳ２５）。脱衣室温度が居間温度より低い場合（ＴＨ３＜ＴＨ２）（ステップＳ２５、Ｙｅｓ）、制御部６は、給気ダンパ４を位置Ａに移動させる（ステップＳ２６）。
【００３３】
一方、脱衣室温度が居間温度より低くない場合（居間温度と脱衣室温度が同じ場合）（ステップＳ２５、Ｎｏ）、制御部６は、給気ダンパ４を位置Ｃに移動させる（ステップＳ２７）。位置Ａ〜Ｃの何れかの位置に給気ダンパ４の移動が完了した後、制御部６は排気ファン３を停止（ＯＦＦ）させる（ステップＳ２８）。
【００３４】
次に、制御部６は、居間温度または脱衣室温度が浴室温度より高いか否かを判定する（ステップＳ２９）。そして、居間温度、脱衣室温度の少なくとも一方より浴室温度の方が低い場合（ＴＨ１＜ＴＨ２またはＴＨ１＜ＴＨ３）（ステップＳ２９、Ｙｅｓ）、制御部６は給気ファン２を運転（ＯＮ）する（ステップＳ３０）。
【００３５】
一方、居間温度および脱衣室温度より浴室温度の方が高い場合（ステップＳ２９、Ｎｏ）、制御部６は給気ファン２を停止（ＯＦＦ）する（ステップＳ３１）。この後、制御部６は、浴室乾燥暖房機の運転中に各部屋の温度が変わった場合、給気ダンパ４及び給気ファン２を再設定して暖房運転を継続する。これにより、浴室乾燥暖房システム１０１は、居間５３、脱衣室５２の空気を用いて浴室５１の暖房を行うことが可能となる。
【００３６】
図７は、実施の形態１に係る浴室乾燥暖房機の涼風運転の動作手順を示すフローチャートである。なお、図６で説明した暖房運転の動作手順と同様の処理については、その説明を省略する。浴室乾燥暖房機本体１Ａが脱衣室リモコン１０Ａや居間リモコン１３Ａからの操作指令を受けて浴室５１の涼風運転を開始すると、制御部６は、排気ダンパ５を閉じる（ステップＳ４１）。
【００３７】
次に、浴室乾燥暖房機本体１Ａは、浴室５１、脱衣室５２、居間５３の温度情報を取得する。ここでは、浴室温度がＴＨ１、居間温度がＴＨ２、脱衣室温度がＴＨ３であった場合について説明する（ステップＳ４２）。
【００３８】
制御部６は、脱衣室温度のＴＨ３と居間温度のＴＨ２とを比較し、ＴＨ３がＴＨ２よりも小さいか否かを判定する（ステップＳ４３）。脱衣室温度が居間温度より低い場合（ＴＨ３＜ＴＨ２）（ステップＳ４３、Ｙｅｓ）、制御部６は、給気ダンパ４を位置Ｂに移動させる（ステップＳ４４）。
【００３９】
一方、脱衣室温度が居間温度以上である場合（ＴＨ３≧ＴＨ２）（ステップＳ４３、Ｎｏ）、制御部６は、居間温度のＴＨ２が脱衣室温度のＴＨ３より低いか否かを判定する（ステップＳ４５）。居間温度が脱衣室温度より低い場合（ＴＨ２＜ＴＨ３）（ステップＳ４５、Ｙｅｓ）、制御部６は、給気ダンパ４を位置Ａに移動させる（ステップＳ４６）。
【００４０】
一方、居間温度が脱衣室温度より低くない場合（居間温度と脱衣室温度が同じ場合）（ステップＳ４５、Ｎｏ）、制御部６は、給気ダンパ４を位置Ｃに移動させる（ステップＳ４７）。位置Ａ〜Ｃの何れかの位置に給気ダンパ４の移動が完了した後、制御部６は排気ファン３を停止（ＯＦＦ）させる（ステップＳ４８）。さらに、制御部６は給気ファン２を運転（ＯＮ）する（ステップＳ４９）。これにより、浴室乾燥暖房システム１０１は、居間５３、脱衣室５２の空気を用いて浴室５１への涼風供給を行うことが可能となる。
【００４１】
なお、本実施の形態では、浴室乾燥暖房機が浴室乾燥暖房機本体１Ａと、脱衣室リモコン１０Ａと、居間リモコン１３Ａと、浴室用温度センサ９と、を有している場合について説明したが、脱衣室リモコン１０Ａと、居間リモコン１３Ａと、浴室用温度センサ９は、浴室乾燥暖房機と別構成としてもよい。
【００４２】
このように実施の形態１によれば、給気ファン２、排気ファン３、給気ダンパ４、排気ダンパ５を動作させるとともに、居間５３、脱衣室５２の空気を用いて浴室５１の換気、乾燥、暖房、涼風供給を行うので、ヒータを用いずに浴室５１の換気、乾燥、暖房、涼風供給を行うことが可能となる。したがって、浴室５１内の空気質環境を改善すると共にヒータを搭載せずに暖房することが可能となる。また、ヒータを用いることなく浴室５１内を居間５３と同様の温室度環境に保つことができるので、電気代やメンテナンス費用を削減することができ、省エネルギー効果をあげることができる。
【００４３】
実施の形態２．
つぎに、図８および図９を用いてこの発明の実施の形態２について説明する。実施の形態２では、居間５３の温度と脱衣室５２の温度をダクト配管６０内のセンサで検知する。図８および図９の各構成要素のうち図１および図２に示す実施の形態１の浴室乾燥暖房システム１０１や浴室乾燥暖房機と同一機能を達成する構成要素については同一番号を付しており、重複する説明は省略する。
【００４４】
図８は、本発明の実施の形態２に係る浴室乾燥暖房機を備えた浴室乾燥暖房システムの構成を示す図である。図８では、浴室乾燥暖房機の設置状態を浴室乾燥暖房システム１０２の断面図として示している。
【００４５】
本実施の形態の浴室乾燥暖房システム１０２は、浴室乾燥暖房機として、浴室乾燥暖房機本体１Ｂと、脱衣室リモコン１０Ｂと、居間リモコン１３Ｂと、浴室用温度センサ９と、を備えている。そして、浴室乾燥暖房機本体１Ｂには、脱衣室風路用温度センサ（温度検知部）３０と、居間風路用温度センサ（温度検知部）３１と、が配置されている。
【００４６】
脱衣室風路用温度センサ３０は、脱衣室５２から送られてくる空気の温度を検知するセンサであり、居間風路用温度センサ３１は、居間５３から送られてくる空気の温度を検知するセンサである。脱衣室風路用温度センサ３０は、ダクト配管６０内のうち浴室乾燥暖房機本体１Ｂの吸い込み風路（脱衣室側配管６２からの空気の吸込口近傍）に配置され、居間風路用温度センサ３１は、ダクト配管６０内のうち浴室乾燥暖房機本体１Ｂの吸い込み風路（居間側配管６１からの空気の吸込口近傍）に配置されている。
【００４７】
本実施の形態では、脱衣室風路用温度センサ３０、居間風路用温度センサ３１によって脱衣室５２、居間５３の温度を検知するので、脱衣室リモコン１０Ｂおよび居間リモコン１３Ｂには温度検知センサを搭載していない。
【００４８】
図９は、実施の形態２に係る浴室乾燥暖房機の機能構成の概略を示すブロック図である。制御部６は、脱衣室リモコン１０Ｂ、居間リモコン１３Ｂ、浴室用温度センサ９、脱衣室風路用温度センサ３０、居間風路用温度センサ３１とそれぞれ接続されている。脱衣室風路用温度センサ３０や居間風路用温度センサ３１で検知した温度情報は制御部６に入力される。
【００４９】
実施の形態２の浴室乾燥暖房機は、実施の形態１の浴室乾燥暖房機と同様の動作手順（図４〜図７に示した動作手順）によって、浴室５１の換気運転、浴室５１の乾燥運転、浴室５１の暖房運転、浴室５１の涼風運転を行うので、その説明は省略する。
【００５０】
本実施の形態の制御部６は、暖房運転の際には、所定のタイミングで給気ダンパ４を位置Ｃに移動させるよう制御するとともに、居間５３と脱衣室５２の温度を定期的にモニタし、居間５３と脱衣室５２の温度関係が変わった場合には給気ダンパ４を最適な位置に再移動させる。なお、居間５３と脱衣室５２の温度を常時モニタするために、給気ダンパ４を位置Ｃ−位置Ｂ間または位置Ａ−位置Ｂ間に移動させ、空気を吸い込みたい部屋側のダンパ開度を広くとるようにしてもよい。
【００５１】
このように実施の形態２によれば、ダクト配管６０内に配置された脱衣室風路用温度センサ３０、居間風路用温度センサ３１によって脱衣室５２の温度と居間５３の温度を検知しているので、浴室５１に供給可能な空気の温度を正確に検知することが可能となる。したがって、ヒータを用いることなく浴室５１内を所望の設定温度に保つことが可能となる。
【００５２】
実施の形態３．
つぎに、図１０および図１１を用いてこの発明の実施の形態３について説明する。実施の形態３では、浴室５１、脱衣室５２、居間５３の湿度に基づいて、給気ファン２、排気ファン３、給気ダンパ４、排気ダンパ５を制御する。図１０の各構成要素のうち図１に示す実施の形態１の浴室乾燥暖房システム１０１と同一機能を達成する構成要素については同一番号を付しており、重複する説明は省略する。
【００５３】
図１０は、本発明の実施の形態３に係る浴室乾燥暖房機を備えた浴室乾燥暖房システムの構成を示す図である。図１０では、浴室乾燥暖房機の設置状態を浴室乾燥暖房システム１０３の断面図として示している。
【００５４】
本実施の形態の浴室乾燥暖房システム１０３は、浴室乾燥暖房機として、浴室乾燥暖房機本体１Ｃと、脱衣室リモコン１０Ｃと、居間リモコン１３Ｃと、浴室の湿度を検知する浴室用湿度センサ４０と、を備えている。このように、浴室乾燥暖房機本体１Ｃには、浴室用温度センサ９の代わりに浴室用湿度センサ４０が配置されている。
【００５５】
また、脱衣室５２には脱衣室リモコン１０Ｃが設置され、居間５３には居間リモコン１３Ｃが設置されている。そして、脱衣室リモコン１０Ｃには、脱衣室５２の湿度を検知する脱衣室用湿度センサ４１が内蔵されており、居間リモコン１３Ｃには、居間５３の湿度を検知する居間用湿度センサ４２が内蔵されている。また、制御部６は、脱衣室リモコン１０Ｃ、居間リモコン１３Ｃ、浴室用湿度センサ４０とそれぞれ接続されている。
【００５６】
図１１は、実施の形態３に係る浴室乾燥暖房機の乾燥運転の動作手順を示すフローチャートである。なお、図１１に示す動作手順のうち図６に示した処理と同様の処理についてはその説明を省略する。
【００５７】
浴室乾燥暖房機本体１Ｃが脱衣室リモコン１０Ｃや居間リモコン１３Ｃからの操作指令を受けて浴室５１の乾燥運転を開始すると、浴室乾燥暖房機本体１Ｃは、各部屋の湿度情報（浴室５１、脱衣室５２、居間５３の湿度）を取得する。具体的には、制御部６は、浴室用湿度センサ４０が検知した浴室５１の湿度、脱衣室用湿度センサ４１が検知して脱衣室リモコン１０Ｃから送られてくる脱衣室５２の湿度、居間用湿度センサ４２が検知して居間リモコン１３Ｃから送られてくる居間５３の湿度を取得する。ここでは、浴室５１の湿度（浴室湿度）がＨＵＭ１、居間５３の湿度（居間湿度）がＨＵＭ２、脱衣室５２の湿度（脱衣室湿度）がＨＵＭ３であった場合について説明する（ステップＳ６１）。
【００５８】
制御部６は、居間湿度のＨＵＭ２と脱衣室湿度のＨＵＭ３とを比較し、ＨＵＭ２がＨＵＭ３よりも小さいか否かを判定する（ステップＳ６２）。居間湿度が脱衣室湿度より低い場合（ＨＵＭ２＜ＨＵＭ３）（ステップＳ６２、Ｙｅｓ）、制御部６は、給気ダンパ４を位置Ａに移動させる（ステップＳ６３）。
【００５９】
一方、居間湿度が脱衣室湿度以上である場合（ＨＵＭ２≧ＨＵＭ３）（ステップＳ６２、Ｎｏ）、制御部６は、脱衣室湿度のＨＵＭ３が居間湿度のＨＵＭ２より低いか否かを判定する（ステップＳ６４）。脱衣室湿度が居間湿度より低い場合（ＨＵＭ３＜ＨＵＭ２）（ステップＳ６４、Ｙｅｓ）、制御部６は、給気ダンパ４を位置Ｂに移動させる（ステップＳ６５）。
【００６０】
一方、脱衣室湿度が居間湿度より低くない場合（居間湿度と脱衣室湿度が同じ場合）（ステップＳ６４、Ｎｏ）、制御部６は、給気ダンパ４を位置Ｃに移動させる（ステップＳ６６）。
【００６１】
次に、制御部６は、居間湿度または脱衣室湿度が浴室湿度より高いか否かを判定する（ステップＳ６７）。そして、居間湿度、脱衣室湿度の少なくとも一方より浴室湿度の方が低い場合（ＨＵＭ１＜ＨＵＭ２またはＨＵＭ１＜ＨＵＭ３）（ステップＳ６７、Ｙｅｓ）、制御部６は排気ダンパ５を開く（ステップＳ６８）。
【００６２】
一方、居間湿度および脱衣室湿度より浴室湿度の方が高い場合（ステップＳ６７、Ｎｏ）、制御部６は排気ダンパ５を閉じる（ステップＳ６９）。排気ダンパ５を開閉した後、制御部６は、排気ファン３を運転（ＯＮ）させる（ステップＳ７０）。さらに、制御部６は給気ファン２を運転（ＯＮ）する（ステップＳ７１）。この後、制御部６は、浴室乾燥暖房機の運転中に各部屋の湿度が変わった場合、給気ダンパ４及び給気ファン２を再設定して乾燥運転を継続する。これにより、浴室乾燥暖房システム１０３は、居間５３、脱衣室５２の空気を用いて浴室５１の乾燥を行うことが可能となる。
【００６３】
なお、図１１では、脱衣室リモコン１０Ｃが脱衣室用湿度センサ４１を備えている場合について説明したが、脱衣室リモコン１０Ｃは脱衣室用湿度センサ４１と脱衣室用温度センサ１１の両方を備えていてもよい。また、居間リモコン１３Ｃが居間用湿度センサ４２を備えている場合について説明したが、居間リモコン１３Ｃは居間用湿度センサ４２と居間用温度センサ１４の両方を備えていてもよい。これにより、脱衣室用湿度センサ４１と脱衣室用温度センサ１１の何れか一方、居間用湿度センサ４２と居間用温度センサ１４の何れか一方を備えている場合よりも、浴室５１内を快適環境に近づけることができる。
【００６４】
また、本実施の形態では、脱衣室リモコン１０Ｃが脱衣室用湿度センサ４１を備えている場合について説明したが、脱衣室用湿度センサ４１はダクト配管６０内のうち浴室乾燥暖房機本体１Ｂの吸い込み風路（脱衣室側配管６２からの空気の吸込口近傍）に配置してもよい。また、居間リモコン１３Ｃが居間用湿度センサ４２を備えている場合について説明したが、居間用湿度センサ４２は、ダクト配管６０内のうち浴室乾燥暖房機本体１Ｂの吸い込み風路（居間側配管６１からの空気の吸込口近傍）に配置してもよい。
【００６５】
このように実施の形態３によれば、脱衣室５２や居間５３の空気を用いるとともに、脱衣室５２の湿度、居間５３の湿度に基づいて、浴室５１の湿度を設定湿度に保つので、ヒータを用いることなく浴室５１内を居間５３や脱衣室５２と同様の温室度環境に保つことが可能となる。
【産業上の利用可能性】
【００６６】
以上のように、本発明に係る浴室乾燥暖房機は、浴室の暖房や乾燥に適している。
【符号の説明】
【００６７】
１Ａ〜１Ｃ  浴室乾燥暖房機本体
２  給気ファン
３  排気ファン
４  給気ダンパ
５  排気ダンパ
６  制御部
７  吸込口
８  吹出口
９  浴室用温度センサ
１０Ａ〜１０Ｃ  脱衣室リモコン
１１  脱衣室用温度センサ
１２  脱衣室吸気口
１３Ａ〜１３Ｃ  居間リモコン
１４  居間用温度センサ
１５  居間吸気口
１６  通気孔
１７  排気口
１８  給気用モータ
１９  排気用モータ
２０  給気ダンパ用モータ
２１  排気ダンパ用モータ
３０  脱衣室風路用温度センサ
３１  居間風路用温度センサ
４０  浴室用湿度センサ
４１  脱衣室用湿度センサ
４２  居間用湿度センサ
５１  浴室
５２  脱衣室
５３  居間
６０  ダクト配管
１０１〜１０３  浴室乾燥暖房システム
【図１】
2010276274.tif 000003
【図２】
2010276274.tif 000004
【図３】
2010276274.tif 000005
【図４】
2010276274.tif 000006
【図５】
2010276274.tif 000007
【図６】
2010276274.tif 000008
【図７】
2010276274.tif 000009
【図８】
2010276274.tif 000010
【図９】
2010276274.tif 000011
【図１０】
2010276274.tif 000012
【図１１】
2010276274.tif 000013